(57)【要約】本発明は太陽光を遮断するパラソルに関し、遮光部を支持する支持台が遮光部の一側に位置するように構成して空間活用度を高めるように構成したパラソルを提供することにその目的がある。上記のような目的を果たすための本発明のパラソルは、一端が積層された形態に回転可能に結合された複数の親骨と、親骨の間を連結する遮光布を備えた遮光部と、複数の親骨の中で最も上端に位置した上端親骨の他端と最も下端に位置した下端親骨の他端にそれぞれ装着された締結部と、上端親骨に装着された締結部と、下端親骨に装着された締結部が互いに締結された状態で締結部と結合される支持台とを含むことを特徴とする。
2011524233.tif 000002
【特許請求の範囲】
【請求項１】
一端が積層された形態に回転可能に結合された複数の親骨と、親骨の間を連結する遮光布を備えた遮光部と；
複数の親骨の中で最も上端に位置した上端親骨の他端と最も下端に位置した下端親骨の他端にそれぞれ装着された締結部と；
上端親骨に装着された締結部と下端親骨に装着された締結部とが互いに締結された状態で締結部と結合される支持台と；を含むことを特徴とするパラソル。
【請求項２】
親骨の一端にはリングが固定され、親骨のリングを第１回転軸が貫通した状態で第１回転軸の端部に形成された雄ねじ部にナットが締結されたことを特徴とする請求項１に記載のパラソル。
【請求項３】
上端親骨と下端親骨は幅に比べて長さが長いプレート構造であることを特徴とする請求項２に記載のパラソル。
【請求項４】
上端親骨と下端親骨の間に位置した親骨はリングに一端が固定された二つの弾性部と上記二つの弾性部の他端を連結する連結部とを備えた弾性親骨であることを特徴とする請求項２または３に記載のパラソル。
【請求項５】
弾性親骨を基準に両側に位置したそれぞれの遮光布は、弾性親骨で上下に重なって位置するように左側に位置した遮光布は二つの弾性部の中で右側の弾性部に固定され、右側に位置した遮光布は二つの弾性部の中で左側の弾性部に固定されることを特徴とする請求項４に記載のパラソル。
【請求項６】
上端親骨と下端親骨にそれぞれ遮光布の一側が固定され、上端親骨と下端親骨に隣接した弾性親骨の二つの弾性部の中で遠く離れた弾性部に遮光布の他側が固定されることを特徴とする請求項４に記載のパラソル。
【請求項７】
パラソルは弾性親骨の連結部の内側で重なって位置する遮光布を相互固定する固定手段をさらに含むことを特徴とする請求項６に記載のパラソル。
【請求項８】
上端親骨と下端親骨の他端には相互結合する結合部材がそれぞれ装着されて、上端親骨と下端親骨が上下に位置する場合、結合部材によって締結されることを特徴する請求項２に記載のパラソル。
【請求項９】
結合部材は上端親骨及び下端親骨の中の何れか一方に固定される雌締結部と他方に固定される雄締結部を含み、雌締結部と雄締結部は相互締結または分離可能であることを特徴とする請求項８に記載のパラソル。
【請求項１０】
雌締結部は遮光部の外側方向に開放された半円管の形態であり、雄締結部は遮光部の内側方向に突出された半円突出部を含んでおり、半円突出部が半円管に挿入されることによって雌締結部と雄締結部が締結されることを特徴とする請求項９に記載のパラソル。
【請求項１１】
雌締結部と雄締結部が締結された状態で支持台の上端に形成された中空に挿入されることを特徴とする請求項９または１０に記載のパラソル。
【請求項１２】
支持台の上端にはホルダーが形成され、上端親骨の他端に固定され、上記ホルダーに装着されて上下方向に旋回する第１結合部と、下端親骨の他端に固定され、第１結合部の上下旋回によって上記ホルダーの内部に挿入されたり引出される第２結合部を含むことを特徴とする請求項２に記載のパラソル。
【請求項１３】
上記ホルダーは上向きに対向して形成された二つのラグと、二つのラグの間に固定され、第１結合部を貫通する第２回転軸を含むことを特徴とする請求項１２に記載のパラソル。
【請求項１４】
第１結合部と第２結合部の対向する面の中の何れか一面には凹部が形成され、凹部に対応する凸部が他面に形成されることを特徴とする請求項１２または１３に記載のパラソル。
【請求項１５】
第２回転軸に沿って回転する第１結合部または第２結合部には、上記第２回転軸を中心にする円弧に沿って複数の溝が形成され、上記ラグの内側面には溝に整合する突起が形成されることを特徴とする請求項１３に記載のパラソル。
【請求項１６】
上記第２回転軸は、二つのラグと第１結合部を貫通し、第２回転軸の端部に形成された雄ねじ部にナットが締結固定されて上記ラグを加圧したり加圧解除することを特徴とする請求項１３に記載のパラソル
【発明の詳細な説明】
【技術分野】
【０００１】
本発明は太陽光を遮断するパラソルに関し、特に遮光部を支持する支持台が遮光部の一側に位置するように構成して空間活用度を高めるのである。
【背景技術】
【０００２】
図面において、図１は従来技術によるパラソルを示す概路図である。
【０００３】
従来のパラソル１は、図１に示すように、放射状で広げられる遮光部３の中央に垂直支持台５が位置するので、遮光部３によって形成された遮光面積の中で垂直支持台５と干渉されない面積だけ活用が可能である。即ち、遮光面積の内側に垂直支持台５が位置するため遮光面積の空間活用度が低いという短所がある。
【発明の概要】
【発明が解決しようとする課題】
【０００４】
本発明は前述したような従来の技術問題点を解決するために発明されたもので、広げられた遮光部の辺縁の一側に支持台が位置するように構成することによって、遮光部によって形成された遮光面積の全体を活用できるように構成したパラソルを提供することにその目的がある。
【０００５】
また、本発明は別途に製作、生産されている一般のパラソル（１段式パラソル）と通風パラソル（２段式パラソル）を一つのパラソルに全部具現することにその目的がある。
【０００６】
また、本発明は太陽の位置に沿って遮光部の角度を調節することができて、遮光效果を高めるように構成したパラソルを提供することにその目的がある。
【課題を解決するための手段】
【０００７】
上記のような目的を果たすための本発明のパラソルは、一端が積層された形態に回転可能に結合された複数の親骨と、親骨の間を連結する遮光布を備えた遮光部と、複数の親骨の中で最も上端に位置した上端親骨の他端と最も下端に位置した下端親骨の他端にそれぞれ装着された締結部と、上端親骨に装着された締結部と下端親骨に装着された締結部が互いに締結された状態で締結部と結合される支持台とを含むことを技術特徴とする。
【０００８】
また、本発明の好ましい実施形態によれば、親骨の一端にはリングが固定され、親骨のリングを第１回転軸が貫通した状態で第１回転軸の端部に形成された雄ねじ部にナットが締結される。
【０００９】
また、本発明の好ましい実施形態によれば、上端親骨と下端親骨は幅に比べて長さが長いプレート構造である。
【００１０】
また、本発明の好ましい実施形態によれば、上端親骨と下端親骨の間に位置した親骨は、リングに一端が固定された二つの弾性部と上記二つの弾性部の他端を連結する連結部とを備えた弾性親骨である。
【００１１】
また、本発明の好ましい実施形態によれば、弾性親骨を基準に両側に位置したそれぞれの遮光布は、弾性親骨で上下に重なって位置するように左側に位置した遮光布は二つの弾性部の中で右側の弾性部に固定され、右側に位置した遮光布は二つの弾性部の中で左側の弾性部に固定される。
【００１２】
また、本発明の好ましい実施形態によれば、上端親骨と下端親骨にそれぞれ遮光布の一側が固定され、上端親骨と下端親骨に隣接した弾性親骨の二つの弾性部の中で遠く離れた弾性部に遮光布の他側が固定される。
【００１３】
また、本発明の好ましい実施形態によれば、パラソルは弾性親骨の連結部の内側で重なって位置する遮光布を互いに固定する固定手段をさらに含む。
【００１４】
また、本発明の好ましい実施形態によれば、上端親骨と下端親骨の他端には互いに結合する結合部材がそれぞれ装着されて上端親骨と下端親骨が上下に位置する場合結合部材によって締結される。
【００１５】
また、本発明の好ましい実施形態によれば、結合部材は上端親骨及び下端親骨の中の何れか一方に固定される雌締結部と他方に固定される雄締結部を含み、雌締結部と雄締結部は互いに締結または分離可能である。
【００１６】
また、本発明の好ましい実施形態によれば、雌締結部は遮光部の外側方向に開放された半円管の形態であり、雄締結部は遮光部の内側方向に突出された半円突出部を含んでおり、半円突出部が半円管に挿入されることによって雌締結部と雄締結部が締結される。
【００１７】
また、本発明の好ましい実施形態によれば、雌締結部と雄締結部が締結された状態で支持台の上端に形成された中空に嵌められる。
【００１８】
また、本発明の好ましい実施形態によれば、支持台の上端にはホルダーが形成され、上端親骨の他端に固定され、上記ホルダーに装着されて上下方向に旋回する第１結合部と、下端親骨の他端に固定され、第１結合部の上下旋回によって上記ホルダーの内部に挿入されたり引出される第２結合部とを含む。
【００１９】
また、本発明の好ましい実施形態によれば、上記ホルダーは上向きに対向して形成された二つのラグと、二つのラグの間に固定され、第１結合部を貫通する第２回転軸とを含む。
【００２０】
また、本発明の好ましい実施形態によれば、第１結合部と第２結合部の対向する面の中の何れか一面には凹部が形成され、凹部に対応する凸部が他面に形成される。
【００２１】
また、本発明の好ましい実施形態によれば、第２回転軸に沿って回転する第１結合部または第２結合部には上記第２回転軸を中心にする円弧に沿って複数の溝が形成され、上記ラグの内側面には溝に整合する突起が形成される。
【００２２】
また、本発明の好ましい実施形態によれば、上記第２回転軸は二つのラグと第１結合部を貫通し、第２回転軸の端部に形成された雄ねじ部にナットが締結固定されて上記ラグを加圧したり加圧解除する。
【発明の効果】
【００２３】
前述したように、本発明のパラソルは広げられた遮光部の辺縁一側に垂直支持台が位置することによって、遮光部によって形成された遮光面積の全体を活用することができるという長所がある。
【００２４】
また、本発明のパラソルは、遮光部を広げたり折り畳む構成が簡単で、遮光布の支持親骨の補助親骨がなく、且つ関連付属品が必要なくなって軽量で、頻繁に故障されることを減少できるという長所がある。
【００２５】
また、本発明によるパラソルの遮光部は、太陽光を遮断するだけでなく通風が容易で、遮光面積内に位置した使用者に快適な環境を提供する。
【００２６】
また、本発明のパラソルは垂直支持台に対する遮光部の角度を調節することができて、太陽の位置に沿って遮光部の角度を調節して遮光效果を増大させることができる。
【図面の簡単な説明】
【００２７】
【図１】従来技術によるパラソルを示す概路図である。
【図２】本発明によるパラソルの全体的な概念図である。
【図３】本発明による第１実施形態による遮光部の親骨構造を示す概路図である。
【図４】図３に示された親骨構造によって遮光部を広げる過程を示す斜視図である。
【図５】図３に示された親骨構造によって遮光部を広げる過程を示す斜視図である。
【図６】遮光部が折り畳まれた状態で親骨のみを示す概路図である。
【図７】パラソルの上端親骨と下端親骨を結合する結合部材を示す斜視図である。
【図８】本発明の第２実施形態による遮光部の親骨構造を示す概路図である。
【図９】図８に示された親骨構造によって遮光部を広げる過程を示す斜視図である。
【図１０】図８に示された親骨構造によって遮光部を広げる過程を示す斜視図である。
【図１１】図８に示された親骨構造によって遮光部を広げる過程を示す斜視図である。
【図１２】図９に示された遮光部が広げられる過程で親骨の弾性変形を示す親骨の横断面図である。
【図１３】弾性親骨の諸形態を示す概路図である。
【図１４】パラソルの上端親骨と下端親骨を結合する結合部材と垂直支持台の連結部位を示す正面図でる。
【図１５】上端親骨が結合される第１結合部を示す斜視図である。
【図１６】下端親骨が結合される第２結合部を示す斜視図である。
【図１７】結合部材と垂直支持台の連結部位を示す断面図である。
【図１８】ホルダーの内側面を示す斜視図である。
【図１９】対向するまた他のホルダーの内側面を示す斜視図である。
【図２０】遮光部の角度による結合部材の作動関係を示す断面図である。
【図２１】遮光部を広げたり折る時の過程を示す連結部位の正面図である。
【図２２】第４実施形態によるホルダーの内側面を示す部分断面図である。
【図２３】ホルダーに装着される第２回転軸を示す概路図である。
【図２４】上端親骨が装着される第１結合部を示す側面図である。
【図２５】下端親骨が装着される第２結合部を示す側面図である。
【発明を実施するための形態】
【００２８】
以下では本発明によるパラソルの好ましい実施形態を添付図面を参照して詳しく説明する。
【００２９】
（第１実施形態）
図面において、図２は本発明によるパラソルの全体的な概念図である。また、図３は本発明による第１実施形態による遮光部の親骨構造を示す概路図であり、図４及び図５は図３に示された親骨構造によって遮光部を広げる過程を示す斜視図であり、図６は遮光部が折り畳まれた状態で親骨のみを示す概路図である。
【００３０】
以下で説明しているパラソル１００の共通的な特徴は、図２に示すように、遮光部１０３が広げられた状態で遮光部１０３を支持する垂直支持台１０５が遮光部１０３の辺縁一側に位置することによって、遮光部１０３によって形成された遮光面積の全体を有用に使用することができる。
【００３１】
それによる本発明の第１実施形態について以下で具体的に説明する。
【００３２】
図３〜図６に示すように、遮光部１０３は放射状で広げられ、遮光布１１０を支持する複数の親骨１２１、１２２、１２４を含み、放射状の中心に位置する親骨１２１、１２２、１２４）の端部にはリング１３０がそれぞれ形成される。また、上記親骨１２１、１２２、１２４が積層された状態で上記リング１３０の中空を第１回転軸１４１が貫通し、リング１３０を貫通した第１回転軸１４１の端部にナット１３１が締結される。
【００３３】
従って、複数の親骨１２１、１２２、１２４は第１回転軸１４１を中心に回転しながら放射状に広げられたり、または親骨１２１、１２２、１２４が積層されるように折り畳まれる。
【００３４】
ここで積層された親骨１２１、１２２、１２４は最も下端に位置した下端親骨１２２と、最も上端に位置した上端親骨１２１及び、下端親骨１２２と上端親骨１２１の間に位置した中間親骨１２４に分けられる。
【００３５】
上端親骨１２１と中間親骨１２４及び下端親骨１２２は幅に比べて長さが長いプレート形の親骨で、遮光部１０３を支持することができる剛性を有している。また、遮光布１１０を広げた時、上端親骨１２１と中間親骨１２４及び下端親骨１２２の一端はリング１３０を貫通して締結される第１回転軸１４１とナット１３１によって固定され、他端は締結部１５１、１５５が互いに結合されて垂直支持台１０５の上端部に固定される。このように、遮光部１０３が広げられた状態で、上端親骨１２１と下端親骨１２２の本体は所定距離を隔てて並んで固定されて設置されたウェブ（ＷＥＢ）がなく、二つのプレートがフランジ（ＦＬＡＮＧＥ）の役割を果たす組合されたＨ−形鋼の断面形状を成すので、一つの親骨より剛性がかなり増加して、遮光部１０３と親骨１２１、１２２、１２４の重量と風などの外力に十分耐えられる。また、中間親骨１２４は遮光部１０３が広げられた時に弾性変形されて、広げられた遮光部１０３に剛性を与える親骨で、断面形状は円形パイプや棒等の多様な形態に変更可能である。
【００３６】
第１回転軸１４１は最も下端に位置した下端親骨１２２のリング１３０と中間親骨１２４のリング１３０及び上端親骨１２１のリング１３０を貫通した状態で、第１回転軸１４１の上端に形成された雄ねじ部１４２にナット１３１が締結される。
【００３７】
従って、中間親骨１２４及び上端親骨１２１は第１回転軸１４１を中心に回転可能になる。
【００３８】
一方、図４〜図６に示すように、親骨１２１、１２２、１２４には遮光布１１０が固定される。遮光布１１０は親骨１２１、１２２、１２４の上面に附着固定された形態で、上端親骨１２１が第１回転軸１４１を中心に回転すると、遮光布１１０が広げられながら中間親骨１２４が回転して広げられるように中間親骨１２４を引っ張る。
【００３９】
このように、上端親骨１２１を回転させて遮光部１０３を広げると、下端親骨１２２と上端親骨１２１が対応して位置するが、下端親骨１２２と上端親骨１２１の端部に位置した結合部材１５０を互いに締結して広げられた遮光部１０３を固定する。
【００４０】
このように、結合部材１５０によって上端親骨と下端親骨が結合された状態で、結合部材は図２に示された垂直支持台１０５に締結されて位置する。
【００４１】
以下では、上端親骨と下端親骨を締結する結合部材１５０について説明する。
【００４２】
図７はパラソルの上端親骨と下端親骨を結合する結合部材を示す斜視図である。
【００４３】
図７に示すように、下端親骨１２２の端部には下向きに折曲された雌締結部１５１が形成され、上端親骨１２１の端部にも下向きに折曲された雄締結部１５５が形成される。
【００４４】
雌締結部１５１は円筒管を長手方向に切断した構造の半円管１５３形状で、下端親骨１２２の端部に下向きに形成され、雄締結部１５５は半円管１５３形状の雌締結部１５１の内側に嵌められることのできる半円突出部１５７が形成された構造で、上端親骨１２１の端部に下向きに形成される。
【００４５】
従って、下端親骨１２２の上に上端親骨１２１が位置すると、雄締結部１５５の半円突出部１５７が雌締結部１５１の半円管１５３内側に弾性変形しながら超えて入ることによって雄締結部１５５と雌締結部１５１が整合して締結される。
【００４６】
一方、雄締結部１５５と雌締結部１５１が整合して締結された状態で、締結部材１５０を垂直支持台（図２；１０５）の上端に形成された中空に挿入して遮光部１０３を垂直支持台１０５の上端に固定する。
【００４７】
広げられた遮光部１０３を折る時、結合部材１５０の結合を解体した状態で上端親骨１２１を第１回転軸１４１を中心に時計方向に回転させて、上端親骨１２１と下端親骨１２２の間に中間親骨１２４が位置するように折り、この状態で再び結合部材１５０を結合させると遮光部１０３は折り畳まれた状態を維持する。
【００４８】
（第２実施形態）
第２実施形態は、第１実施形態のパラソルに比べて中間親骨の構成に差があり、中間親骨の構成差による遮光布も分割されて親骨と連結される。
【００４９】
図面において、図８は本発明による第２実施形態による遮光部の親骨構造を示す概路図であり、図９〜図１１は図８に示された親骨構造によって遮光部を広げる過程を示す斜視図であり、図１２は図９に示された遮光部が広げられる過程で親骨の弾性変形を示す親骨の横断面図であり、図１３は弾性親骨の諸形態を示す概路図である。
【００５０】
図８〜図１１に示すように、遮光部１０３は放射状に広げられ、遮光布１１０を支持する複数の親骨１２１、１２２、１２３を含み、放射状の中心に位置する親骨１２１、１２２、１２３の端部にはリング１３０がそれぞれ形成される。また、上記親骨１２１、１２２、１２３が積層された状態で、上記リング１３０の中空を第１回転軸１４１が貫通し、リング１３０を貫通した第１回転軸１４１の端部にナット１３１が締結される。従って、複数の親骨１２１、１２２、１２３は第１回転軸１４１を中心に回転しながら放射状に広げられたり、または親骨１２１、１２２、１２３が積層されるように折り畳まれる。
【００５１】
ここで、積層された親骨１２１、１２２、１２３は最も下端に位置した下端親骨１２２と、最も上端に位置した上端親骨１２１及び、下端親骨１２２と上端親骨１２１との間に位置した弾性親骨１２３に分けられる。
【００５２】
上端親骨１２１及び下端親骨１２２は第１実施形態に説明したように、幅に比べて長さが長いプレート形態の親骨で、遮光部１０３を支持できる剛性を有している。また弾性親骨１２３は遮光部１０３が広げられた時に弾性変形されて広げられた遮光部１０３に剛性を与える親骨である。弾性親骨１２３は略「Ｕ」字状で、リング１３０に連結された二つの弾性部１２５と上記弾性部１２５を連結する連結部１２７とに構成され、上記弾性部１２５と上記連結部１２７は一体に形成されることができる。
【００５３】
このように構成された上端親骨１２１と下端親骨１２２及び弾性親骨１２３は各親骨１２１、１２２、１２３に形成されたリング１３０を第１回転軸１４１が貫通し、第１回転軸１４１の上端に形成された雄ねじ部１４２にナット１３１が締結される。
【００５４】
従って、弾性親骨１２３及び上端親骨１２１は第１回転軸１４１を中心に水平状に回転可能になる。
【００５５】
一方、図９〜図１２に示すように、親骨１２１、１２２、１２３には遮光布１１０が固定される。遮光布１１０は親骨１２１、１２２、１２３を等角に広げた時に遮光布１１０が親骨１２１、１２２、１２３の間に位置して太陽光を遮断する程度の大きさで、遮光布１１０の一側は下端親骨１２２に固定され、遮光布１１０の他側は隣接した弾性親骨１２３の二つの弾性部１２５中で下端親骨１２２からより遠く離れた弾性部に固定される。また、遮光布１１０が固定されない残り弾性部には他の遮光布１１０の一側が固定され、他の遮光布１１０の他側は他の隣接した弾性親骨１２３の二つの弾性部の中でより遠く離れた弾性部に固定される。このような方式で、下端親骨１２２と弾性親骨１２３、弾性親骨１２３と弾性親骨１２３、また弾性親骨１２３と上端親骨１２１を遮光布１１０で連結する。
【００５６】
このように、上端親骨１２１を時計反対方向に回転させて遮光部１０３を広げると、下端親骨１２２と上端親骨１２１が対応して位置し、下端親骨１２２と上端親骨１２１の端部に位置した結合部材１５０を互いに締結して広げられた遮光部１０３を固定する。
【００５７】
一方、弾性親骨１２３に力が加えられない程度まで、遮光部１０３が広げられた状態では、図９及び図１２の（ａ）に示すように、弾性親骨１２３は弾性変形しないで、二つの弾性部１２５が所定の間隔を維持して位置する。また、図１１及び図１２の（ｂ）に示すように、遮光布１１０が完全に広げられた以後に使用者が上端親骨１２１をさらに引っ張って下端親骨１２２と上端親骨１２１が対応するように、下端親骨１２２の上部に上端親骨１２１を位置させると、遮光布１１０は緊張されながら弾性親骨１２３の二つの弾性部１２５が図１２の（ｂ）のように弾性変形するが、この時連結された遮光布１１０が緊張される時位置に沿ってリング１３０に連結された二つの弾性部１２５は動かないが、長さの中間に行くほど捻じれられて、二つの弾性部１２５は漸次的に水平状態から垂直状態に変わる。このように弾性親骨１２３の二つの弾性部１２５が捻じれられて漸次に垂直に立ち上がる形態に遮光部１０３が広げられるので、端部に行くほど水平から垂直状態になる二つの弾性部１２５の間の隙間１２９を通じて通風が容易に行われる。
【００５８】
相互対応するように位置した上端親骨１２１と下端親骨１２２は結合部材１５０によって結合された状態で、図２に示された垂直支持台１０５に締結されて位置する。
【００５９】
一方、弾性親骨１２３は、図１３に示すように、（ａ）の「Ｕ」字状の他に（ｂ）のように変形された形態も可能であり、このように弾性親骨１２３を変形しても弾性親骨１２３が具現しようとする目的を充分に具現することができる。
【００６０】
一方、弾性親骨１２３において、連結部１２７の内側には上下に重なる遮光布１１０を相互固定するスナップボタン１１３がそれぞれ装着される。異なるように図面に図示しないが、二つの弾性部１２５と連結部１２７が連結される二つの部位に掛け金をそれぞれ装着して対向する他の部位に対応する遮光布１１０に掛け金を掛けておく。このようなスナップボタン１１３及び掛け金は固定手段で、これらを利用して上下に重なる遮光布１１０を互いに固定すると、遮光布１１０が引っ張られても弾性親骨１２３の二つの傾斜部１２５は全長にわたって水平状態に維持されて遮光布１１０が上下に重なるようになるので弾性親骨１２３の二つの傾斜部１２５の間の隙間１２９を通じて雨や冷たい風などが入ることを防止することができる。
【００６１】
（第３実施形態）
前述した締結部材に対する他の例として、垂直支持台と遮光部が締結された状態で垂直支持台に対する遮光部の角度を調節することができるように構成される。
【００６２】
図面において、図１４はパラソルの上端親骨と下端親骨を結合する結合部材と垂直支持台の連結部位を示す正面図であり、図１５は上端親骨が結合される第１結合部を示す斜視図であり、図１６は下端親骨が結合される第２結合部を示す斜視図である。図１７は結合部材と垂直支持台の連結部位を示す断面図であり、図１８はホルダーの内側面を示す斜視図であり、図１９は対向するまた他のホルダーの内側面を示す斜視図である。図２０は遮光部の角度による結合部材の作動関係を示す断面図であり、図２１は遮光部を広げたり折る時の過程を示す連結部位の正面図である。
【００６３】
また、第３実施形態によるパラソルを説明するに当って、弾性親骨１２３及び遮光布１１０に対する説明及び図面は第１実施形態及び第２実施形態で具体的に説明したので具体的な説明は省略する。
【００６４】
図２及び図１４に示すように、遮光部１０３を支持する垂直支持台１０５はその上端にホルダー１７０が設置され、ホルダー１７０には上端親骨１２１の端部に固定された第１結合部１６１が装着され、下端親骨１２２の端部に固定された第２結合部１６２が第１結合部１６１と整合された状態でホルダー１７０に挿入されたり第２結合部１６２がホルダー１７０から抜け出した後第１結合部１６１と分離される。
【００６５】
ここで、遮光部１０３が広げられたり折り畳まれた状態では、第２結合部１６２が第１結合部１６１と装着された状態でホルダー１７０に挿入され、遮光部１０３が広げられたり折り畳まれる過程には、第２結合部１６２がホルダー１７０から抜け出した状態で第１結合部１６１から離脱する。
【００６６】
このような構成について具体的に説明する。
【００６７】
垂直支持台１０５の上端に設置されるホルダー１７０は二つのラグ１７１が互いに対向した状態で上向きに固定される。
【００６８】
また、図１５に示された第１結合部１６１が対向する二つのラグ１７１の間に位置した状態で回転可能に装着される。第１結合部１６１は一側にスロット１６１Ｓが形成されて、上端親骨１２１がスロット１６１Ｓに挿入され、第１結合部１６１の底面には凹部１６１Ｈが形成される。上記凹部１６１Ｈは上記スロット１６１Ｓの長手方向と同じ方向に形成される。また第１結合部１６１の中間には貫通孔１６１Ｒがスロット１６１Ｓ及び凹部１６１Ｈと同じ方向に形成され、二つのラグ１７１を貫通した第２回転軸１７５が上記貫通孔１６１Ｒを貫通する。従って、第１結合部１６１は第２回転軸１７５を中心に回転可能であり、第１結合部１６１が回転することによって上端親骨１２１、即ち、遮光部１０３は第２回転軸１７５を中心に上下方向に旋回する。
【００６９】
第１結合部１６１が第２回転軸１７５を中心に上向きに旋回すると、第１結合部１６１に形成された凹部１６１Ｈはラグ１７１の外側に位置することになる。即ち、遮光部１０３が上向きに引き上げられると、凹部１６１Ｈはラグ１７１の外側に位置する。また、遮光部１０３が垂直支持台１０５に対してほぼ垂直状態に位置すると、凹部１６１Ｈはラグ１７１の内側、即ちホルダー１７０の中に位置する。
【００７０】
一方、図１６〜図２１に示すように、第１結合部１６１の下部には第２結合部１６２が位置する。第２結合部１６２は一側にスロット１６２Ｓが形成されて、下端親骨１２２がスロット１６２Ｓに嵌められて固定される。また、第２結合部１６２の上面には凹部１６１Ｈに整合する凸部１６２Ｐが形成される。また、ラグ１７１と対向する一側面には、第２回転軸１７５を中心に円弧に沿って溝１６３が形成される。ラグ１７１の内側面にも上記溝１６３と対応する突起１７３が形成される。溝１６３と突起１７３が整合されると、第２結合部１６２が第２回転軸１７５を中心に回転しなくなる。
【００７１】
溝１６３と突起１７３の結合力は遮光部１０３が第２回転軸１７５を中心に外力によって旋回しない程度の力であり、使用者がホルダー１７０を支持台１０５から取り出して遮光部１０３を固定させたまま強制的に上下方向に旋回すると、第２回転軸に固定連結されたラグ１７１の弾性によって溝１６３と突起１７３の結合が解体されながらホルダー１７０が回転する。従って、使用者は遮光部１０３の上下角度を調節した後、支持台１０５の上端にホルダー１７０を設置すると、遮光部１０３は溝１６３と突起１７３の結合力によって旋回しないで調節された角度で固定される。
【００７２】
このような構造で遮光部１０３を広げるためには、図２１に示すように、使用者が折り畳まれた遮光部１０３を上向きに押し上げる。そうすると、遮光部１０３はホルダー１７０の第２回転軸１７５を中心に上向き旋回しながら、第１結合部１６１の凹部１６１Ｈと第２結合部１６２がホルダー１７０の外側に出る。この時、第２結合部１６２の溝１６３とラグ１７１の突起１７３は整合解体される。このように、第２結合部１６２がホルダー１７０の外側に出ると、遮光部１０３は第１回転軸１４１を中心に旋回することができて広げられる。即ち、下端親骨１２２が第１回転軸１４１を中心に回転して遮光部１０３が広げられると、第２結合部１６２は第１結合部１６１の下に再び位置しながら、第１結合部１６１の凹部１６１Ｈと第２結合部１６２の凸部１６２Ｐが整合する。
【００７３】
この状態で、使用者は広げられた遮光部１０３を下向きで旋回する。そうなると、整合された第１結合部１６１と第２結合部１６２がホルダー１７０の内側、即ち、二つのラグ１７１の間に入る。この時、第２結合部１６２に形成された溝１６３とラグ１７１に形成された突起１７３が整合し、使用者が力を加えて遮光部１０３の角度を調節した後、支持台１０５の上端にホルダー１７０を設置すると複数の溝１６３と複数の突起１７３が整合された状態で遮光部１０３が外力によって旋回することを阻む。
【００７４】
（第４実施形態）
前述した第３実施形態の締結部材に対する他の例として、垂直支持台と遮光部が締結された状態で垂直支持台に対する遮光部の角度を調節することができるように構成される。
【００７５】
図面において、図２２は第４実施形態によるホルダーの内側面を示す部分断面図であり、図２３はホルダーに装着される第２回転軸を示す概路図であり、図２４は上端親骨が装着される第１結合部を示す側面図であり、図２５は下端親骨が装着される第２結合部を示す側面図である。
【００７６】
図２２及び図２３に示すように、ホルダーは第３実施形態で説明したように、一対のラグ１７１と第２回転軸１７５及び第１結合部１６１を含む。ここで、第４実施形態のホルダー１７０と第３実施形態の差は、図２４及び図２５に示すように、第１結合部１６１及び第２結合部１６２の両側面に溝１６３が形成され、一対のラグ１７１の内側面に突起１７３が形成され、第１結合部１６１に凸部１６１Ｐが形成され、第２結合部１６２に凹部１６２Ｈが形成されるという点である。
【００７７】
また、図１８及び図１９に示すように、一対の対向するホルダー１７０が当接する水平面の前面中央部には凸部と凹部が設置、整合されて第２回転軸を軸に回転する時ともに回転する。
【００７８】
また、第３実施形態では、ホルダー１７０を支持台と結合を解除してこそ遮光部１０３の角度が調節されたが、第４実施形態ではホルダー１７０を支持台と結合された状態で第２回転軸１７５の端部に締結されたナット１７７を締めることによってラグ１７１が第１結合部１６１及び第２結合部１６２を加圧して、ラグ１７１の突起１７３が第１結合部１６１の溝１６３に整合された状態で遮光部１０３が固定される。遮光部１０３の角度を調節するためには、第２回転軸１７５のナット１７７が緩く解けた状態で、遮光部１０３の角度を調節し、遮光部１０３の角度を調節した後ナット１７７に連結されたボルトを締めて固定する。
【００７９】
本発明が属する技術分野の当業者は、本発明がその技術思想や必須特徴を変更しないで、他の具体的な形態に実施されることができるので、以上で記述した実施形態は全ての面で例示的なもので限定的なものではないこととして理解すべきである。本発明の範囲は上記詳細な説明よりは後述する特許請求の範囲によって示され、特許請求の範囲の意味及び範囲、またその等価概念から導出される全ての変更または変形された形態が本発明の範囲に含まれるものと解釈すべきである。従って、本発明がパラソルだけではなく、雨傘、陽傘にも適用されることができることは当然である。
【符号の説明】
【００８０】
１００：パラソル
１０３：遮光部
１０５：垂直支持台
１１０：遮光布
１１１：紐
１１３：スナップボタン
１２１：上端親骨
１２２：下端親骨
１２３：弾性親骨
１２４：中間親骨
１２５：傾斜部
１２７：湾曲部
１２９：隙間
１３０：リング
１３１：ナット
１４１：第１回転軸
１４２：雄ねじ部
１５０：結合部材
１５１：雌締結部
１５３：半円管
１５５：雄締結部
１５７：半円突出部
１６１：第１結合部
１６１Ｒ：貫通孔
１６１Ｓ、１６２Ｓ：スロット
１６１Ｈ、１６２Ｈ：凹部
１６２：第２結合部
１６１Ｐ、１６２Ｐ：凸部
１６３：溝
１７０：ホルダー
１７１：ラグ
１７３：突起
１７５：第２回転軸
【図１】
2011524233.tif 000003
【図２】
2011524233.tif 000004
【図３】
2011524233.tif 000005
【図４】
2011524233.tif 000006
【図５】
2011524233.tif 000007
【図６】
2011524233.tif 000008
【図７】
2011524233.tif 000009
【図８】
2011524233.tif 000010
【図９】
2011524233.tif 000011
【図１０】
2011524233.tif 000012
【図１１】
2011524233.tif 000013
【図１２（ａ）】
2011524233.tif 000014
【図１２（ｂ）】
2011524233.tif 000015
【図１３（ａ）】
2011524233.tif 000016
【図１３（ｂ）】
2011524233.tif 000017
【図１４】
2011524233.tif 000018
【図１５】
2011524233.tif 000019
【図１６】
2011524233.tif 000020
【図１７】
2011524233.tif 000021
【図１８】
2011524233.tif 000022
【図１９】
2011524233.tif 000023
【図２０】
2011524233.tif 000024
【図２１】
2011524233.tif 000025
【図２２（ａ）】
2011524233.tif 000026
【図２２（ｂ）】
2011524233.tif 000027
【図２３】
2011524233.tif 000028
【図２４】
2011524233.tif 000029
【図２５】
2011524233.tif 000030
【国際調査報告】
2011524233.tif 000031
2011524233.tif 000032
2011524233.tif 000033
2011524233.tif 000034